(57)【要約】【課題】温水洗浄便座の局部洗浄ノズルの清潔性を向上させることを目的とする。【解決手段】給水栓に接続されて供給された水を局部洗浄水として噴出する噴出孔を有する局部洗浄ノズル６と、ミストを発生するミスト発生手段２０と、局洗浄ノズルの噴出孔６ａ近傍を略密閉空間にして収納するノズル収納部８とを備え、ノズル収納部８にミスト発生手段２０より発生したミストを充満させて局部洗浄ノズル６をミスト洗浄するものであり、局部洗浄ノズルを清潔にして使用することができる。【選択図】図１
2008196141.tif 000002
【特許請求の範囲】
【請求項１】
局部洗浄水を噴出する噴出孔を有する局部洗浄手段と、ミストを発生するミスト発生手段と、前記局部洗浄手段を収納する収納部とを備え、前記収納部は前記ミスト発生手段により発生したミストを流入させる構成にしてなる温水洗浄装置。
【請求項２】
収納部は、局部洗浄手段の噴出孔の位置とほぼ同じ高さ位置またはそれより高い位置に、ミスト発生手段のミストが出る流入口を設けた請求項１記載の温水洗浄装置。
【請求項３】
ミスト発生手段は、ミストを発生させるために使用する水を貯水する貯水部を有し、前記貯水部へ薬剤を添加する薬剤添加手段を備えた請求項１または２記載の温水洗浄装置。
【請求項４】
収納部へ温水または水を供給して収納部内部と局部洗浄手段の少なくともいずれかを洗浄する汚れ洗浄手段を備えた請求項１から３のいずれか１項記載の温水洗浄装置。
【請求項５】
汚れ洗浄手段は、薬剤添加手段により薬剤を添加した水をミストにするミスト発生手段による収納部および局部洗浄手段をミスト洗浄した後に、洗浄を行う構成にした請求項４記載の温水洗浄装置。
【請求項６】
ミスト発生手段は、超音波発生方式とした請求項１から５のいずれか１項記載の温水洗浄装置。
【請求項７】
収納部と局部洗浄手段の少なくともいずれかを振動させる請求項１から６のいずれか１項記載の温水洗浄装置。
【請求項８】
収納部は、排水手段を有し、ミスト発生手段または汚れ洗浄手段で用いた洗浄水を排水する請求項１から７のいずれか１項記載の温水洗浄装置。
【発明の詳細な説明】
【技術分野】
【０００１】
本発明は、人体等の局部を洗浄する手段を便座に設けた温水洗浄装置に関するものである。
【背景技術】
【０００２】
一般に便座に設けた温水洗浄装置は、局部洗浄手段として先端から温水を噴出する局部洗浄ノズルを持ち、人体局部を洗浄する際には、局部洗浄ノズルを収納位置から局部洗浄に適した位置である便座に囲まれた空間内に移動させて、温水を人体局部に向けて噴出する。そして、洗浄により局部から落ちた汚物により局部洗浄ノズルが汚れる場合がある。
【０００３】
そこで、その汚れを取り除く手段として、従来は、局部洗浄ノズルを洗浄するノズル洗浄手段を用意し、そこから局部洗浄ノズルへ洗浄水を噴出させることで洗浄を行い、さらに、その洗浄性を向上させるため温水の流量を確保して、十分に汚れ、異物を流し出すという技術を採用しているものであった（例えば、特許文献１参照）。
【特許文献１】特許第３１１５８６０号公報
【発明の開示】
【発明が解決しようとする課題】
【０００４】
しかしながら、前記従来の構成により、大流量の洗浄水で洗い流すだけでは、洗浄水は局部洗浄ノズルの外周を洗うだけであり、また、お湯または水の流体で洗浄するだけでは局部洗浄ノズルに付着した汚れの油分は落としきれないとともに、局部洗浄ノズルの流入口の複雑な構成のなかに入り込んだ細かい汚れや細菌などの洗浄、除菌は不十分であった。
【０００５】
上記従来の課題に鑑み、本発明が解決しようとする課題は、局部洗浄手段に付着した汚れを取り除き易くして、常に清潔に保つことが可能な温水洗浄装置を提供することにある。
【課題を解決するための手段】
【０００６】
上記課題を解決するために、本発明は局部洗浄水を噴出する噴出孔を有する局部洗浄手段と、ミストを発生するミスト発生手段と、前記局部洗浄手段を収納する収納部とを備え、前記収納部は前記ミスト発生手段により発生したミストを流入させる構成にしたものである。
【０００７】
この手段により、ミストが局部洗浄手段の細部にわたって浸透し、付着している汚れを確実に浮かして取り除き易くでき（以下、ミスト洗浄という）、汚れを確実に洗い流す等のことが可能となる。
【発明の効果】
【０００８】
本発明の温水洗浄装置は、局部洗浄手段が複雑な構成であっても付着した汚れを確実に浮かせ取り除き易くできるので、洗浄で容易に汚れを落とし清潔に保つことが可能になる。
【発明を実施するための最良の形態】
【０００９】
第１の発明は、局部洗浄水を噴出する噴出孔を有する局部洗浄手段と、ミストを発生するミスト発生手段と、前記局部洗浄手段を収納する収納部とを備え、前記収納部は前記ミスト発生手段により発生したミストを流入させる構成にした温水洗浄装置である。
【００１０】
そして、収納部により局部洗浄手段の噴出孔等が、十分な濃度の滞留させた状態のミストに触れて付着している汚れが確実に浮き取り除き易くできる構成であり、さまざまな噴流形態を実現するために、より複雑化した内部構成ならびに部品構成をとった局部洗浄手段の機構であっても、確実にミストが細部に行きわたって浸透して汚れを落とすことが可能となる。
【００１１】
このように、まず、水をミストにして汚れに浸透させて浮かし、汚れを落ちやすい状態するミスト洗浄にできるので、十分にミスト濃度をあげて局部洗浄手段の表面に付着した水で洗い流したり、別に水または温水で洗い流すなどの構成として汚れを除去してもよいし、また使用者が拭き取る等という作業を行うようにしてもよい。
【００１２】
第２の発明は、特に、第１の発明の収納部は、局部洗浄手段の噴出孔の位置とほぼ同じ高さ位置またはそれより高い位置に、ミスト発生手段のミストが出る流入口を設けたものである。そして、ミスト発生手段により発生したミストが流入口より収納部内に流れ込み、特に収納部の下方へ向かって流れるので、ミスト洗浄の最重点対象である噴出孔近傍に自然に導かれ、特別にミストを搬送する出段を有しなくとも効率よくミスト搬送できる構成となる。
【００１３】
第３の発明は、特に、第１の発明または第２の発明のミスト発生手段は、ミストを発生させるために使用する水を貯水する貯水部を有し、前記貯水部へ薬剤を添加する薬剤添加手段を備えたものである。そして、薬剤を添加したミストを発生することが可能となり、より特定の汚れに対して特化して薬液を選択して添加して、ミスト洗浄してより効果的な洗浄が可能となる。
【００１４】
第４の発明は、特に、第１〜第３のいずれか１つの発明において、収納部へ温水または水を供給して収納部内部と局部洗浄手段の少なくともいずれかを洗浄する汚れ洗浄手段を備えたものである。そして、温水または常温水で収納部を流水洗浄することができて、洗浄にバリエーションを持たせることができる。
【００１５】
第５の発明は、特に、第４の発明において汚れ洗浄手段は、薬剤添加手段により薬剤を添加した水をミストにするミスト発生手段による収納部および局部洗浄手段をミスト洗浄した後に洗浄を行う構成にしたものである。そして、薬液の添加されたミスト洗浄液が付着した収納部内部に温水または常温水の洗浄が行われると薬剤の残液が付着することもなく、洗浄効果の維持に効果的である。
【００１６】
第６の発明は、特に、第１〜第５のいずれか１つの発明のミスト発生手段は、超音波発生方式としたものである。そして、超音波方式は、小型で便座装置本体内部に組み込みやすい。  
【００１７】
第７の発明は、特に、第１〜第６のいずれか１つの発明において、収納部と局部洗浄手段の少なくともいずれかを振動させるものである。そして、収納部と局部洗浄手段のいずれかが振動することで、例えば収納部がミストで充満されてミスト洗浄の際に洗浄対象も振動し、一段と汚れが取り除き易くなり洗浄効果が向上する。
【００１８】
第８の発明は、特に、第１〜第７のいずれか１つの発明において、収納部は排水手段を設けて、ミスト発生手段または汚れ洗浄手段で用いた洗浄水を排水するものである。そして、ミストを収納部に充満させミスト洗浄した後、洗浄水、残水、汚水を確実に排水できる。
【００１９】
以下、本発明の実施の形態について、図面を参照しながら説明する。なお、この実施の形態によって本発明が限定されるものではない。
（実施の形態１）
次に、本発明に係る便座に局部洗浄手段を設けた温水洗浄装置の実施の形態につき説明する。
【００２０】
図１、図２に示すように、水道管とつないだ給水配管１は水道管直結アダプター部２につながり、ここから洗浄水となる水を温水洗浄装置に取入れる。この水は、熱交換器３で加熱され、水ポンプ４で加圧されて流路調整弁５を通り、ここで流量を調整したのち、局部洗浄手段である肛門用とビデ用の２つの局部洗浄ノズル６、６と、これら局部洗浄ノズル６、６ａの汚れを洗い流す汚れ洗浄手段となるノズル洗浄手段７へ水を分岐させる。
【００２１】
局部洗浄ノズル６、６は、図３、図４に示すように局部洗浄を行わないときは、収納部となるノズル収納部８に収納され、局部洗浄時にはノズル収納部８より温水洗浄装置の本体９の設けてある輪状の便座１０の後中央より進出する進退自在に構成してある。
【００２２】
ノズル収納部８は、上下左右の側壁をなすガイド筒１１と局部洗浄ノズル６、６が出入する前面開口を開閉する蓋１２で構成され、蓋１２が閉じることで略密閉空間を保っている。なお、前記略密閉空間は、ガイド筒１１と蓋１２等の組立て上の誤差による隙間を含んだ構造である。ガイド筒１１は、略密閉空間を構成するための独立した部材でもかまわないが、本実施の形態では局部洗浄ノズル６、６がノズル収納部８と便座１０に囲まれた空間である局部洗浄に適した洗浄位置とを移動するためのガイド部材を用いている。
【００２３】
局部洗浄ノズル６、６は、水圧または電気を用いた駆動源（図示せず）の力により、その収納部と洗浄位置を移動可能であり、駆動源、ノズル収納部８等とともに局部洗浄ノズルユニット１３を構成する。そして、図５に示すように、局部洗浄ノズル６が洗浄位置にあるとき蓋１２は、開くが、局部洗浄ノズル６がノズル収納部８にあるとき蓋１２は自重で閉止するように上端がガイド筒１１の上縁に回転自在に枢支してある。
【００２４】
ノズル収納部８は、図６に示すようにガイド筒１１の内部に局部洗浄ノズル６の円形な外形に沿った形でのリブ１４が設けられており、蓋１２が閉まることで略密閉空間を形成している。すなわち、ノズル収納部８はリブ１４と蓋１２とガイド筒１１で囲まれた空間に局部洗浄ノズル６の洗浄水の噴出孔６ａのある先端部分を収納している。図中、１５は２つの局部洗浄ノズル６、６の肛門用とビデ用を仕切る中央仕切壁である。
【００２５】
さらにノズル収納部８は、略密閉性を向上させるには、ガイド筒１１内部のリブ１４端部に、局部洗浄ノズル６と接触するゴム製のパッキンを設けることも可能である。また、蓋１２は自重で閉じるだけでなく、図７（ａ）に示すように、ガイド筒１１の上縁に設けた回転軸１６の中心の図中上部に圧縮バネ１７を設け、蓋１２が閉まる方向に付勢する構成にして常に蓋１２を閉じ、局部洗浄時に動力でノズル収納部８より洗浄位置へ進出する局部洗浄ノズル６の力で開成する構成や、図７（ｂ）に示すようにモータ１８でレリーズ１９を動かす等により蓋１２が局部洗浄ノズル６への洗浄開始と洗浄停止の指令に連動して開閉する機構をもつことで、より効果的にノズル収納部８を閉じることも可能である。
【００２６】
ミスト発生手段２０は、図１に示すように温水洗浄装置に取り込まれた水道水が、局部洗浄水につながる配管から分岐した水路より貯水部２０ａに供給され、超音波振動装置２０ｂにより霧化されてミストとなり、ノズル収納部８に開口する流入口２１より自然に流入して充満する構成にしている。そして、ミスト発生手段２０は、超音波振動以外にも、熱によるもの、高速回転する部材により発生させるもの、高電圧によるもの、静電霧化によるもの等があり、いずれでもかまわない。
【００２７】
流入口２１は、ノズル収納部８に収納された状態の局部洗浄ノズル６の噴出孔６ａの位置と略同じ高さ位置、またはそれより高い位置においてノズル収納部８のガイド筒１２の壁に設け、ノズル収納部８に流入したミストが下方へ向かって流れ込み、噴出孔６ａの近傍に自然に導かれ、特別にミストを搬送する出段を有しなくとも効率よくミスト搬送できる構成にしてある。なお、ミストをミスト発生手段２０からノズル収納部８に送るには、電動ファンなどによる搬送手段を用いても良い。
【００２８】
また図１に示すように、局部洗浄に用いる流量が少なくて良いとき等で、温水洗浄装置内に取入れた水の一部を余剰水として排水する排水口２２の構造がある温水洗浄装置の場合、この余剰水の排水路２２ａから分岐し、水をミスト発生手段２０に供給することで、余剰水を有効活用させることも可能である。
【００２９】
さて、ミスト発生手段２０は、発生したミストを略密閉空間であるノズル収納部８に充満させるので、ノズル収納部８の内部はもちろん、局部洗浄ノズル６、６をミスト洗浄にできる。そして前記ミストは、その粒径が数μ〜１００μ程度であるために空気に浮遊可能であり、水またはお湯をかけることで局部洗浄ノズルを洗う場合に較べて、局部洗浄ノズル６の、より複雑な形状の奥にまで到達でき、効率よく洗浄が可能である。
【００３０】
つまり、ミストが汚れやすい局部洗浄ノズル６の先端部はもちろん、複雑な形状の噴出孔６ａの細部にわたって浸透し、付着している汚れを確実に浮かして取り除き易いミスト洗浄の状態にでき、これをノズル収納部８内に十分にミスト濃度を上げて局部洗浄ノズル６の表面に付着した水で洗い流したり、別に水または温水で洗い流すなどの構成として汚れを除去してもよいし、また使用者が拭き取る等という作業を行うようにして汚れを確実に洗い流す等のことが可能となる。
【００３１】
さらに、薬剤添加手段２３は、ミスト発生手段２０の上手の水通路に接続されて薬剤が水に混合されミスト発生手段２０の貯水部２０ａに溜まり、ミスト発生手段２０から発生するミストに殺菌、脱臭、汚れ落とし等の効果を持つ薬剤を添加する構成であり、薬剤の添加されたミストで局部洗浄ノズル６、ノズル収納部８の内部をミスト洗浄にする。
【００３２】
一般に汚物には油分が含まれており、これが従来の水またはお湯による流し洗浄では落としきれず残ってしまい、その蓄積により局部洗浄ノズル６の汚れの原因となっていたが、本実施の形態のように薬剤の添加されたミストは、複雑な形状の局部洗浄ノズル６の隅々にまで薬剤を届けることが可能であり、洗浄効果を一段と高めることが可能となる。
【００３３】
さらに図８に示すように排水手段１１ａは、ノズル収納部８のガイド筒１２の先端部底面（またはガイド筒１２の先端部底面から側面にかけて）に排水用切り欠き等を設けて構成している。従って、お湯または水による局部洗浄ノズル６を洗浄するノズル洗浄手段７により、薬剤の添加されたミストによる局部洗浄ノズル６とノズル収納部８内の洗浄後における局部洗浄ノズル６とノズル収納部８内を、お湯または水で洗い流し、薬剤により取れやすくなっている汚れを排水手段１１ａより便器内へ早く洗い流すことが可能になる。なお、ガイド筒１１と蓋１２の組み立て上で起こる隙間を利用して排水するようにしても良い。
【００３４】
操作部２４は、温水洗浄装置を使用するため指令を制御手段２５に釦の操作で送る構成で、従来の装置のように局部洗浄ノズル６、６による局部洗浄開始と停止、便器内の匂いを吸引して脱臭する脱臭装置２６による脱臭と停止、局部洗浄後の被洗浄部を温風で乾燥させる乾燥手段２７による乾燥と停止、さらにはミスト発生手段２０による局部洗浄ノズル６とノズル収納部８内のミスト洗浄と停止、ミスト洗浄時に薬剤添加手段２３による水
に薬剤の添加と停止、その後における局部洗浄ノズル６とノズル収納部８内をノズル洗浄手段７による洗い流しの洗浄と停止などを指令する。
【００３５】
制御手段２５は、マイクロコンピュータ及びその周辺回路よりなり、図１に示すように水ポンプ４、流路調整弁５、局部洗浄ノズルユニット１３、ミスト発生手段２０、薬剤添加手段２３、脱臭装置２６、乾燥手段２７などと電気的に接続され、これ等を操作部２４からの指令で以下に述べる温水洗浄装置の動作と作用を実行するプログラムを内蔵するとともに、特に図９に示すミスト洗浄を行うフローを実行するプログラムも内蔵している。
【００３６】
なお、図１で２８は便座１０の下側に設けて使用者が着座及び離座したかを検知して制御手段２５に信号を送り、制御手段２５の制御実行に寄与する着座検知手段で、センサー、スイッチ等で構成され、便座以外に温水洗浄装置の本体９に、または温水洗浄装置の遠隔制御装置に設けても良く、さらにトイレ室の入室検知手段を兼用した着座検知手段でも良い。
【００３７】
上記実施の形態において、便座１０に使用者が着座すると制御手段２５により脱臭装置２６が動作し、そして使用者が用便後に操作部２４を操作すると次の動作と作用が行われる。すなわち、局部洗浄ノズル６が蓋１２を押し開いてノズル収納部８より便座１０の洗浄位置に進出し、流路調整弁５により選択された肛門用の局部洗浄ノズル６の噴出孔６ａより熱交換器３で瞬間的に暖められた温水の洗浄水が噴出して局部を洗浄する。そして、局部洗浄後は操作部２４より停止の指令をすると局部洗浄ノズル６が洗浄位置より後退してノズル収納部８に納まり蓋１２が閉じられる。また、局部乾燥の指令をすると乾燥手段２７が動作し、局部洗浄で濡れた被洗浄部を温風で乾燥させ、また乾燥停止を指令すると乾燥が停止をする。
【００３８】
特に、ミストによる洗浄は、使用者の指示に従い任意のタイミングで実施可能であるが、ノズル収納部８から蓋１２を開けて局部洗浄ノズル６が洗浄位置にあっては、局部洗浄ノズル６の洗浄はできないために、局部洗浄ノズルが収納部に収納されているときのみ、ミストを発生できるよう制御することが良い。
【００３９】
図１２は、その制御フローである。すなわち、本実施の形態でミスト発生手段２０は、使用者が操作部２４より任意のタイミングでミスト洗浄をするため、図９に示すようにステップ（以下、Ｓと表示する）１でミスト発生の指令をすると、S２で局部洗浄ノズル６がノズル収納部８に納まっているかの確認が行われ、納まっていない時にはミストを発生させないとともにＳ２にリターンし、再び前記確認が繰り返される。
【００４０】
一方、Ｓ２でノズル収納部８に局部洗浄ノズル６が納まっておると、Ｓ３でミスと発生の指示が行われミスト発生手段２０が制御手段２５により動作し、貯水部２０ａより超音波振動装置２０ｂの作用でミストが発生し、流入口２１より蓋１２の閉じたノズル収納部８内に流入してミストが充満する。
【００４１】
そして、局部洗浄ノズル６の先端部、噴出孔６ａの細部までがミストで覆われ付着している汚れに浸透して前記の汚れを浮かし、取り除き易くなるミスト洗浄にする。もちろん、この時にノズル収納部８内にも汚れが付着しておれば、前記と同様の作用が生じてミスト洗浄にする。
【００４２】
もちろん、ミスト発生手段２０が動作する時に薬剤添加手段２３を動作させて薬剤をミストになる水に混合させると、ミスト発生手段２０から発生するミストには殺菌、脱臭、汚れ落としの作用が生じて、上記したミスト洗浄に殺菌、脱臭、汚れ落としが加わる。
【００４３】
従って、局部洗浄ノズル６およびノズル収納部８内の汚れが浮いて取り除き易いミスト洗浄の状態で、またミスト洗浄に殺菌、脱臭、汚れ落としが加わっているので、操作部２４からの指令で流路調整弁５を調整してノズル洗浄手段７より洗浄水を流出させると局部洗浄ノズル６およびノズル収納部８内に降りかかり、従来のノズル洗浄では落ちなかった汚れを、容易に洗い流してノズル収納部８の排水手段２３より確実に、そして素早く排出でき、常に清潔に保つことができる。
【００４４】
また、薬剤の添加されたミスト洗浄による後、局部洗浄ノズル６およびノズル収納部８内の薬剤により落ちやすくなっている汚れを、お湯または水で容易に流すことができるだけでなく、局部洗浄ノズル６およびノズル収納部８内の付着した薬剤も一度に洗い流すことができ、局部洗浄ノズル６およびノズル収納部８を薬剤から護ることもできる。
【００４５】
なお、上記実施の形態では、ミスト洗浄の状態にあるノズル収納部８および局部洗浄ノズル６をノズル洗浄手段７よりの洗浄水で汚れを洗い流したが、ノズル収納部８内を十分にミスト濃度に上げて局部洗浄ノズル６の表面に付着した水で洗い流したり、別に水または温水で洗い流すなどの構成として汚れを除去してもよいし、また使用者がノズル収納部８より局部洗浄ノズル６を外に進出させて拭き取る等という作業を行うようにして汚れを確実に洗い流すことでも良いものである。
【００４６】
また、上記実施の形態では、局部洗浄ノズル６およびノズル収納部８の両方をミスト洗浄の状態にしたが、少なくとも、汚れやすい局部洗浄ノズル６だけを行うようにしても良いものである。
【００４７】
（実施の形態２）
図１０は、本発明の実施の形態２の温水洗浄装置におけるのノズル収納部分の概略構成図である。本実施の形態は、ノズル収納部分に振動装置を設けた構成であり、この点において上記した実施の形態１の発明と異なるだけで、それ以外の構成と作用効果は同一であるので、図１〜図９を利用して前記異なる部分を中心に説明する。
【００４８】
図１０に示すように、実施の形態１の局部洗浄ノズル６及びノズル収納部８は、振動装置である超音波振動装置３０と接続し、ミストによる洗浄、または前記ミスト洗浄後におけるお湯又は水による洗浄時に、超音波振動させることで洗浄効果を高めるものである。そして、超音波振動装置３０は振動を伝える振動伝達部３１で局部洗浄ノズル６が、振動伝達部３２でガイド筒１１が振動するようにつながれ、操作部２４の指令を受けた制御手段２５により振動と停止が行われるものである。
【００４９】
上記実施の形態において、ミスト発生手段２０によるミスト洗浄に入った時、またはミスト洗浄が暫く時間経過してから操作部２４の指令を受けた制御手段２５に制御された超音波振動装置３０が動作して局部洗浄ノズル６およびノズル収納部８をそれぞれ超音波振動させる。
【００５０】
その結果、局部洗浄ノズル６およびノズル収納部８に付着している汚れが、上記したようにミスト洗浄により取り除き易くなってきているうえに、さらに局部洗浄ノズル６およびノズル収納部８の振動を受けて取り除き易くなり、中には汚れが落ちてしまうものも発生する。
【００５１】
従って、操作部２４からの指令で流路調整弁５を調整してノズル洗浄手段７より洗浄水を流出させると局部洗浄ノズル６およびノズル収納部８内に降りかかり、従来のノズル洗浄では落ちなかった汚れを、一段と容易に洗い流してノズル収納部８の排水手段２３より確実に、そして素早く排出でき、常に清潔に保つことができる。
【００５２】
なお、上記実施の形態は局部洗浄ノズル６およびノズル収納部８の両方に振動を与えたが、少なくとも、汚れやすい局部洗浄ノズル６だけを行うようにしても良いものである。
【００５３】
（実施の形態３）
図１１は、本発明の実施の形態３の温水洗浄装置におけるノズル収納部分の概略構成図である。本実施の形態は、ノズル収納部分に照明装置を設けた構成であり、この点において上記した実施の形態１、２の発明と異なるだけで、それ以外の構成と作用効果は同一であるので、図１〜図１０を利用して前記異なる部分を中心に説明する。
【００５４】
図１１に示すように、実施の形態１または実施の形態２のノズル収納部８は、蓋１２ａを透明性の高い部材で構成し、ノズル収納部８を構成する一方のガイド筒１１の側壁下部にはＬＥＤによる光源３３を設ける。ＬＥＤは、透明カバー部材で防水処理され、かつ操作部２４の操作による制御手段２５により点灯、消灯の制御が行われる。中央仕切壁１５は、その前端面をガイド筒１１の前面開口縁より一歩下がった長さに設定して一個のＬＥＤで肛門用とビデ用の並設している２つのノズル収納部８を照明できるように構成している。
【００５５】
上記実施の形態において、ミストによる局部洗浄ノズル６、６の洗浄、またはお湯又は水による局部洗浄ノズル６、６の洗浄時に、制御手段２５により光源３３を灯すことにより、両方の局部洗浄ノズル６、６の洗浄されている様子が透明な蓋１２ａを介して外部から目視できる。むろん、この光源３３はＬＥＤに限る物ではなく、面状発光体など他の光源でもよい。
【００５６】
特に、ノズル収納部８の光源３３の点灯、消灯は、ミスト洗浄時、またはミスト洗浄後の汚れの洗い流し時に連動させる構成以外にも、手動で点灯可能とすることで、温水洗浄装置の全体のお手入れ時に点灯させて、見えにくい局部洗浄ノズル６、６の状態を目視確認することも可能になる。
【００５７】
（実施の形態４）
図１２は、本発明の実施の形態４の温水洗浄装置におけるミスト洗浄への制御フローのチャートである。本実施の形態は、ミスト発生の予約と局部洗浄を行っているかのチェックをしてミスト洗浄に入る制御方法で、実施の形態１〜３の各発明に適用できるものであり、温水洗浄装置は図１〜図９に示す温水洗浄装置の構成並びに作用と同じで、図１〜図９を利用して異なるミスト制御への制御フローを中心に説明する。
【００５８】
図１に示す制御手段２５は、図１２に示すミスト発生の制御フローを実行するプログラムを内蔵しており、操作部２４にはミスト発生予約の指令釦（図示せず）を設けている。
【００５９】
次にミスト洗浄の制御方法について説明する。上記ミストによる洗浄は、使用者の指示に従い任意のタイミングで実施可能であるが、ノズル収納部８から蓋１２を開けて局部洗浄ノズル６が洗浄位置にあっては、局部洗浄ノズル６の洗浄はできないために、局部洗浄ノズルが収納部に収納されているときのみ、ミストを発生できるよう制御することが良い。
【００６０】
図１２は、その制御フローである。すなわち、Ｓ４で操作部２４によりミスト発生予約指示をすると、Ｓ５で局部洗浄ノズル６が局部洗浄を行っているかのチェックを行い、局部洗浄を行っている時はリターンして再びチェックを繰り返し、局部洗浄を行っていない時はＳ６に進む。
【００６１】
そして、Ｓ６で局部洗浄ノズル６が洗浄位置より後退してノズル収納部８に納まり蓋１２が閉じて局部洗浄が終了しているかチェックを行い、局部洗浄が終了していない時はリターンして再びチェックを繰り返し、局部洗浄が終了している時は次のＳ７に進む。Ｓ７では、さらに局部洗浄が終了して所定時間が経過したかチェックを行い、所定時間、経過していない時はリターンしてチェックを繰り返し、所定時間が経過すればＳ８に進み、ミスト発生手段２０にミスト発生の指示を行う。Ｓ８の以降は実施の形態１で説明したようにしてミスト洗浄を行うものである。
【００６２】
このように本実施の形態では、局部洗浄を行ったあと一定時間経過後に局部洗浄ノズル６の洗浄をミストで行うことを予約設定できるので、局部洗浄ノズル６はその使用後に常に自動で洗浄されるので清潔に保つ事ができる。
【００６３】
（実施の形態５）
図１３は、本発明の実施の形態５の温水洗浄装置におけるミスト洗浄への制御フローのチャートである。本実施の形態は、ミスト発生の予約と局部乾燥を行っているかのチェックをしてミスト洗浄に入る制御方法で、実施の形態１〜４の各発明に適用できるものであり、温水洗浄装置は図１〜図９に示す温水洗浄装置の構成並びに作用と同じで、図１〜図９を利用して異なるミスト洗浄への制御フローを中心に説明する。
【００６４】
図１に示す制御手段２５は、図１３に示すミスト発生の制御フローを実行するプログラムを内蔵しており、操作部２４にはミスト発生予約の指令釦（図示せず）を設けている。
【００６５】
次にミスト洗浄の制御方法について説明する。Ｓ９で操作部２４によりミスト発生予約指示をすると、Ｓ１０で局部洗浄により濡れた被洗浄部に温風を吹き付けて局部乾燥を行っているかのチェックを行い、局部乾燥を行っている時はリターンして再びチェックを繰り返し、局部乾燥を行っていない時はＳ１１に進む。
【００６６】
そして、Ｓ１１で乾燥手段２７の動作が停止して局部乾燥が終了しているかチェックを行い、局部乾燥が終了していない時はリターンして再びチェックを繰り返し、局部乾燥が終了している時は次のＳ１２に進む。Ｓ１２では、さらに局部乾燥が終了して所定時間が経過したかチェックを行い、所定時間、経過していない時はリターンしてチェックを繰り返し、所定時間が経過すればＳ１３に進み、ミスト発生手段２０にミスト発生の指示を行う。Ｓ１３の以降は実施の形態１で説明したようにしてミスト洗浄を行うものである。
【００６７】
このように本実施の形態では、局部洗浄後の濡れた被洗浄部に温風を吹き付ける乾燥手段２７を有している温水洗浄装置では、使用者が局部乾燥を行ったあと一定時間経過後に局部洗浄ノズル６の洗浄をミストで行うことを予約設定できるので、局部洗浄ノズル６は温水洗浄装置の使用後に常に自動で洗浄されるので清潔に保つ事ができる。
【００６８】
（実施の形態６）
図１４は、本発明の実施の形態６の温水洗浄装置におけるミスト洗浄への制御フローのチャートである。本実施の形態は、ミスト発生の予約と使用者が便座に着座をしているかのチェックをしてミスト洗浄に入る制御方法で、実施の形態１〜５の各発明に適用できるものであり、温水洗浄装置は図１〜図９に示す温水洗浄装置の構成並びに作用と同じで、図１〜図９を利用して異なるミスト洗浄への制御フローを中心に説明する。
【００６９】
図１に示す制御手段２５は、図１４に示すミスト発生への制御フローを実行するプログラムを内蔵しており、操作部２４にはミスト発生予約の指令釦（図示せず）を設けている。
【００７０】
次にミスト洗浄の制御方法について説明する。Ｓ１４で操作部２４によりミスト発生予約指示をすると、Ｓ１５で便座１０に使用者が着座していないか着座検知手段２８でチェックを行い、使用者が便座１０に着座している時はリターンして再びチェックを繰り返し、使用者が便座１０に着座していない時はＳ１６に進む。
【００７１】
そして、Ｓ１６で使用者が便座１０から立ち上がって離れ、離座したかチェックを行い、着座中であればリターンして再びチェックを繰り返し、使用者の便座１０からの離座したと判断すると次のＳ１７に進む。Ｓ１７では、さらに使用者の便座１０からの離座してから所定時間が経過したかチェックを行い、所定時間、経過していない時はリターンしてチェックを繰り返し、所定時間が経過すればＳ１８に進み、ミスト発生手段２０にミスト発生の指示を行う。Ｓ１８の以降は実施の形態１で説明したようにしてミスト洗浄を行うものである。
【００７２】
このように本実施の形態では、使用者が便座１０に座っていることを検知する手段をもっている温水洗浄装置では、使用者が便座から立ち上がって離れ一定時間経過後に局部洗浄ノズルの洗浄をミストで行うことを予約設定できるので、局部洗浄ノズル６は温水洗浄装置の使用後に常に自動で洗浄されるので清潔に保つ事ができる。
【００７３】
（実施の形態７）
図１５は、本発明の実施の形態７の温水洗浄装置におけるミスト洗浄への制御フローのチャートである。本実施の形態は、温水洗浄装置の使用時刻を学習して、温水洗浄装置の使用しない時間にミスト洗浄に入る制御方法で、実施の形態１〜６の各発明に適用できるものであり、温水洗浄装置は図１〜図９に示す温水洗浄装置の構成並びに作用と同じで、図１〜図９を利用して異なるミスト洗浄への制御フローを中心に説明する。
【００７４】
図１に示す制御手段２５は、図１５に示すミスト発生への制御フローを実行するプログラムを内蔵しており、そして温水洗浄装置の使用時間を記憶する学習手段３４を設けている。操作部２４にはミスト発生予約の指令釦（図示せず）を設けている。
【００７５】
次にミスト洗浄の制御方法について説明する。Ｓ１９で操作部２４によりミスト発生予約指示をすると、Ｓ２０で便座１０に使用者が着座しているかチェックを行い、使用者が便座１０に着座している時は次のＳ２１で着座開始時刻を学習手段３４に記憶して次のＳ２２に進む。
【００７６】
そして、Ｓ２２で使用者は便座１０に着座して局部洗浄、被洗浄部の乾燥が終了して便座１０から離れ終了したかチェックを行い、離座終了していない時はリターンして再びチェックを繰り返し、離座終了していれば次のＳ２３で温水洗浄装置の使用時間である離座終了時刻を記憶する。そして、先の着座開始時刻と離座終了時刻を基にＳ２４で学習手段３４が温水洗浄装置の使用時刻を計算して格納しＳ２０にリターンする。
【００７７】
一方、Ｓ２０で使用者が便座１０に着座していない時は、次のＳ２５で先に格納した使用時刻に基き温水洗浄装置の使用時刻かをチェックし、使用時刻である時はＳ２０にリターンして再びチェックを繰り返し、使用時刻でない時は次のＳ２６で前回のミスト発生から一定時間経過したかをチェックする。そして、前回のミスト発生から一定時間経過していない時はＳ２０にリターンして再びチェックを繰り返し、前記の一定時間経過した時はＳ２７に進み、ミスト発生手段２０にミスト発生の指示を行う。Ｓ２７の以降は実施の形態１で説明したようにしてミスト洗浄を行うものである。
【００７８】
このように本実施の形態では、温水洗浄装置の使用時刻を記憶する手段を持っているので、その使用時刻の記憶から使用されない時間帯を制御手段２５の学習手段３４で推測し
、その時間帯に局部洗浄ノズル６のミスト洗浄を自動で行え、より利便性を高めることができる。
【００７９】
この場合、前回のミスト発生時刻を記憶し、それから一定時間−例えば１日−経過した場合のみミスト発生するようにすることで、定期的に局部洗浄ノズルを洗浄することが可能となり、無用にミスト発生を繰返す事を防止できる。
【００８０】
なお、上記各実施の形態において、図９、図１２から図１５に示す「ミスト発生」は、予め定められた時間だけミストを発生し局部洗浄ノズルの洗浄を行う方法以外に、使用者が任意に定めた時間だけミストを発生し局部洗浄ノズルの洗浄を行った後、局部洗浄ノズルとその収納部をお湯または水で洗い流すことが行われてもよい。
【００８１】
また、上記各実施の形態におけるノズル収納部８は前面開口を塞ぐ蓋１２を設けて略密閉したが、ガイド筒１１、蓋１２の組立て上の誤差による隙間、そして排水手段１１ａが存在し、そこからミストが洩れてもミスト洗浄に支障のないものである。
【００８２】
また、上記各実施の形態におけるノズル収納部８は蓋１２を設けて略密閉したが、蓋１２のない構成でも良く、その場合にはミストをノズル収納部８に強制的に流入させるとか、ミストの量を多く流入させたり、ミストを局部洗浄ノズルに集中的にふりかける等の構成にすることで、実質的に本実施の形態と同等の作用効果を期待できる。
【００８３】
さらに、上記各実施の形態におけるノズル収納部８は、ガイド筒１１、蓋１２等の収納部を形成する専用の部材で構成したが、局部洗浄が終り便座１０の空間から本体９側に後退した局部洗浄ノズル６が、結果的に本体９を構成する他の部材によって囲まれ形成された空間に納まっている場合には、その空間部を収納部としても良いものである。
【産業上の利用可能性】
【００８４】
本発明の温水洗浄装置は、局部洗浄手段の細部に入り組んだ構成についても十分に汚れを浮き出させて洗浄して、清潔に使用することが可能となるので、局部洗浄手段だけでなく、局部洗浄手段のクリーニング構成、乾燥、脱臭などの吹き出し口構成についての洗浄手段としても適用することが可能となる。
【図面の簡単な説明】
【００８５】
【図１】本発明の実施の形態１の温水洗浄装置の概略水回路図
【図２】同温水洗浄装置の内部平面図
【図３】同温水洗浄装置の局部洗浄ノズルユニットの外観図
【図４】同温水洗浄装置の局部洗浄ノズルユニットのノズル収納部拡大図
【図５】同温水洗浄装置の局部洗浄ノズルが洗浄位置にあるときの状態図
【図６】同温水洗浄装置のノズル収納部の内部図
【図７】同温水洗浄装置のノズル収納部の開閉手段の閉止機構説明図
【図８】同温水洗浄装置のノズル収納部の排水用切り欠き構成説明図
【図９】同温水洗浄装置のミスト洗浄のフローチャート
【図１０】本発明の実施の形態２の温水洗浄装置におけるノズル収納部分の構成図
【図１１】本発明の実施の形態３の温水洗浄装置におけるノズル収納部内部の構成図
【図１２】本発明の実施の形態４の温水洗浄装置におけるミスト洗浄のフローチャート
【図１３】本発明の実施の形態５の温水洗浄装置におけるミスト洗浄のフローチャート
【図１４】本発明の実施の形態６の温水洗浄装置におけるミスト洗浄のフローチャート
【図１５】本発明の実施の形態７の温水洗浄装置におけるミスト洗浄のフローチャート
【符号の説明】
【００８６】
６  局部洗浄ノズル（局部洗浄手段）
６ａ  噴出孔
７  ノズル洗浄手段（汚れ洗浄手段）  
８  ノズル収納部（収納部）
１１ａ  排水手段
２０  ミスト発生手段
２０ａ  貯水部
２０ｂ  超音波振動装置
２１  流入口
２３  薬剤添加手段
２５  制御手段
【図１】
2008196141.tif 000003
【図９】
2008196141.tif 000004
【図１２】
2008196141.tif 000005
【図１３】
2008196141.tif 000006
【図１４】
2008196141.tif 000007
【図１５】
2008196141.tif 000008
【図２】
2008196141.tif 000009
【図３】
2008196141.tif 000010
【図４】
2008196141.tif 000011
【図５】
2008196141.tif 000012
【図６】
2008196141.tif 000013
【図７】
2008196141.tif 000014
【図８】
2008196141.tif 000015
【図１０】
2008196141.tif 000016
【図１１】
2008196141.tif 000017